(57)【要約】【課題】利用者の体感品質の異なる各トラヒックに対して、それぞれ異なる優先度を割り当てることを図る。【解決手段】通信端末１０は、送信データの送信データ属性とタグ判定条件に基づいて当該送信データを格納する送信パケットに付けるタグを判定し、送信パケットにタグを付ける。ネットワーク装置３０は、受信パケットから検出されたタグに基づいて、受信パケットに対する帯域制御を行う。タグ判定条件は、通信端末を使用した通信の通信品質に対する利用者の意識のされやすさに基づいて分類された送信データ属性毎にタグを指定する。タグは、該意識のされやすさに応じた優先度を示す。【選択図】図１
2015089085.tif 000002
【特許請求の範囲】
【請求項１】
通信端末と前記通信端末から送信されたパケットを転送するネットワーク装置とを有する通信システムにおいて、
前記通信端末は、
送信データの送信データ属性とタグ判定条件に基づいて、当該送信データを格納する送信パケットに付けるタグを判定するタグ判定部と、
前記判定の結果に基づいて、前記送信パケットにタグを付けるタグ付与部と、を有し、
前記ネットワーク装置は、
受信パケットからタグを検出するタグ検出部と、
前記検出されたタグに基づいて、前記受信パケットに対する帯域制御を行う帯域制御部と、を有し、
前記タグ判定条件は、通信端末を使用した通信の通信品質に対する利用者の意識のされやすさに基づいて分類された送信データ属性毎にタグを指定し、
前記タグは、前記意識のされやすさに応じた優先度を示す、
ことを特徴とする通信システム。
【請求項２】
通信端末から送信されたパケットに付けられたタグに基づいて当該パケットに対する帯域制御を行うネットワーク装置を有する通信システムの前記通信端末において、
送信データの送信データ属性とタグ判定条件に基づいて、当該送信データを格納する送信パケットに付けるタグを判定するタグ判定部と、
前記判定の結果に基づいて、前記送信パケットにタグを付けるタグ付与部と、を有し、
前記タグ判定条件は、通信端末を使用した通信の通信品質に対する利用者の意識のされやすさに基づいて分類された送信データ属性毎にタグを指定し、
前記タグは、前記意識のされやすさに応じた優先度を示す、
ことを特徴とする通信端末。
【請求項３】
通信端末によってタグを付けられて送信されたパケットを転送するネットワーク装置において、
受信パケットからタグを検出するタグ検出部と、
前記検出されたタグに基づいて、前記受信パケットに対する帯域制御を行う帯域制御部と、を有し、
前記タグは、送信データの送信データ属性とタグ判定条件に基づいて、当該送信データを格納するパケットに付けられ、
前記タグ判定条件は、通信端末を使用した通信の通信品質に対する利用者の意識のされやすさに基づいて分類された送信データ属性毎にタグを指定し、
前記タグは、前記意識のされやすさに応じた優先度を示す、
ことを特徴とするネットワーク装置。
【請求項４】
通信端末と前記通信端末から送信されたパケットを転送するネットワーク装置とを有する通信システムの帯域制御方法であり、
前記通信端末が、送信データの送信データ属性とタグ判定条件に基づいて、当該送信データを格納する送信パケットに付けるタグを判定するタグ判定ステップと、
前記通信端末が、前記判定の結果に基づいて、前記送信パケットにタグを付けるタグ付与ステップと、
前記ネットワーク装置が、受信パケットからタグを検出するタグ検出ステップと、
前記ネットワーク装置が、前記検出されたタグに基づいて、前記受信パケットに対する帯域制御を行う帯域制御ステップと、を含み、
前記タグ判定条件は、通信端末を使用した通信の通信品質に対する利用者の意識のされやすさに基づいて分類された送信データ属性毎にタグを指定し、
前記タグは、前記意識のされやすさに応じた優先度を示す、
ことを特徴とする帯域制御方法。
【請求項５】
通信端末から送信されたパケットに付けられたタグに基づいて当該パケットに対する帯域制御を行うネットワーク装置を有する通信システムの前記通信端末のコンピュータに、
送信データの送信データ属性とタグ判定条件に基づいて、当該送信データを格納する送信パケットに付けるタグを判定するタグ判定ステップと、
前記判定の結果に基づいて、前記送信パケットにタグを付けるタグ付与ステップと、を実行させるためのコンピュータプログラムであり、
前記タグ判定条件は、通信端末を使用した通信の通信品質に対する利用者の意識のされやすさに基づいて分類された送信データ属性毎にタグを指定し、
前記タグは、前記意識のされやすさに応じた優先度を示す、
ことを特徴とするコンピュータプログラム。
【請求項６】
通信端末によってタグを付けられて送信されたパケットを転送するネットワーク装置のコンピュータに、
受信パケットからタグを検出するタグ検出ステップと、
前記検出されたタグに基づいて、前記受信パケットに対する帯域制御を行う帯域制御ステップと、を実行させるためのコンピュータプログラムであり、
前記タグは、送信データの送信データ属性とタグ判定条件に基づいて、当該送信データを格納するパケットに付けられ、
前記タグ判定条件は、通信端末を使用した通信の通信品質に対する利用者の意識のされやすさに基づいて分類された送信データ属性毎にタグを指定し、
前記タグは、前記意識のされやすさに応じた優先度を示す、
ことを特徴とするコンピュータプログラム。
【発明の詳細な説明】
【技術分野】
【０００１】
本発明は、通信システム、通信端末、ネットワーク装置、帯域制御方法およびコンピュータプログラムに関する。
【背景技術】
【０００２】
従来の通信システムの帯域制御技術として、例えば特許文献１に記載の従来技術が知られている。特許文献１に記載の従来技術では、ネットワーク中継装置が中継するパケットのプロトコル種別やアドレス情報に基づいてパケットの優先度情報を付けている。
【先行技術文献】
【特許文献】
【０００３】
【特許文献１】特開２０１０−２８８１６７号公報
【非特許文献】
【０００４】
【非特許文献１】新井田統，他２名，“ユーザ特性が待ち時間に対する満足度回答モデルに与える影響”，電子情報通信学会，HCGシンポジウム2011
【発明の概要】
【発明が解決しようとする課題】
【０００５】
しかし、上述した従来の帯域制御技術では、同一プロトコルのパケット群から成るトラヒックに対して、さらに細かく優先度を割り当てることが難しいという課題がある。例えば、ＨＴＴＰ（HyperText Transfer Protocol）のパケット群から成るトラヒックの中には、Ｗｅｂサイトの検索結果によるコンテンツの取得を行うトラヒックが存在したり、端末のアプリケーションの自動的な更新を行うトラヒックが存在したりする。ここで、Ｗｅｂサイトの検索結果によるコンテンツの取得では、利用者が通信品質を意識しやすく、体感品質への影響が大きいと考えられる。一方、端末のアプリケーションの自動的な更新では、利用者は通信品質を意識せず、体感品質への影響が小さいと考えられる。しかしながら、従来の帯域制御技術では、そのような同じＨＴＴＰのトラヒックであっても利用者の体感品質の異なる各トラヒックに対して、それぞれ異なる優先度を割り当てることができない。このため、利用者が実感できる通信品質の向上を行うことが難しい。
【０００６】
本発明は、このような事情を考慮してなされたもので、利用者の体感品質の異なる各トラヒックに対して、それぞれ異なる優先度を割り当てることができる通信システム、通信端末、ネットワーク装置、帯域制御方法およびコンピュータプログラムを提供することを課題とする。
【課題を解決するための手段】
【０００７】
（１）本発明に係る通信システムは、通信端末と前記通信端末から送信されたパケットを転送するネットワーク装置とを有する通信システムにおいて、前記通信端末は、送信データの送信データ属性とタグ判定条件に基づいて、当該送信データを格納する送信パケットに付けるタグを判定するタグ判定部と、前記判定の結果に基づいて、前記送信パケットにタグを付けるタグ付与部と、を有し、前記ネットワーク装置は、受信パケットからタグを検出するタグ検出部と、前記検出されたタグに基づいて、前記受信パケットに対する帯域制御を行う帯域制御部と、を有し、前記タグ判定条件は、通信端末を使用した通信の通信品質に対する利用者の意識のされやすさに基づいて分類された送信データ属性毎にタグを指定し、前記タグは、前記意識のされやすさに応じた優先度を示す、ことを特徴とする。
【０００８】
（２）本発明に係る通信端末は、通信端末から送信されたパケットに付けられたタグに基づいて当該パケットに対する帯域制御を行うネットワーク装置を有する通信システムの前記通信端末において、送信データの送信データ属性とタグ判定条件に基づいて、当該送信データを格納する送信パケットに付けるタグを判定するタグ判定部と、前記判定の結果に基づいて、前記送信パケットにタグを付けるタグ付与部と、を有し、前記タグ判定条件は、通信端末を使用した通信の通信品質に対する利用者の意識のされやすさに基づいて分類された送信データ属性毎にタグを指定し、前記タグは、前記意識のされやすさに応じた優先度を示す、ことを特徴とする。
【０００９】
（３）本発明に係るネットワーク装置は、通信端末によってタグを付けられて送信されたパケットを転送するネットワーク装置において、受信パケットからタグを検出するタグ検出部と、前記検出されたタグに基づいて、前記受信パケットに対する帯域制御を行う帯域制御部と、を有し、前記タグは、送信データの送信データ属性とタグ判定条件に基づいて、当該送信データを格納するパケットに付けられ、前記タグ判定条件は、通信端末を使用した通信の通信品質に対する利用者の意識のされやすさに基づいて分類された送信データ属性毎にタグを指定し、前記タグは、前記意識のされやすさに応じた優先度を示す、ことを特徴とする。
【００１０】
（４）本発明に係る帯域制御方法は、通信端末と前記通信端末から送信されたパケットを転送するネットワーク装置とを有する通信システムの帯域制御方法であり、前記通信端末が、送信データの送信データ属性とタグ判定条件に基づいて、当該送信データを格納する送信パケットに付けるタグを判定するタグ判定ステップと、前記通信端末が、前記判定の結果に基づいて、前記送信パケットにタグを付けるタグ付与ステップと、前記ネットワーク装置が、受信パケットからタグを検出するタグ検出ステップと、前記ネットワーク装置が、前記検出されたタグに基づいて、前記受信パケットに対する帯域制御を行う帯域制御ステップと、を含み、前記タグ判定条件は、通信端末を使用した通信の通信品質に対する利用者の意識のされやすさに基づいて分類された送信データ属性毎にタグを指定し、前記タグは、前記意識のされやすさに応じた優先度を示す、ことを特徴とする。
【００１１】
（５）本発明に係るコンピュータプログラムは、通信端末から送信されたパケットに付けられたタグに基づいて当該パケットに対する帯域制御を行うネットワーク装置を有する通信システムの前記通信端末のコンピュータに、送信データの送信データ属性とタグ判定条件に基づいて、当該送信データを格納する送信パケットに付けるタグを判定するタグ判定ステップと、前記判定の結果に基づいて、前記送信パケットにタグを付けるタグ付与ステップと、を実行させるためのコンピュータプログラムであり、前記タグ判定条件は、通信端末を使用した通信の通信品質に対する利用者の意識のされやすさに基づいて分類された送信データ属性毎にタグを指定し、前記タグは、前記意識のされやすさに応じた優先度を示す、ことを特徴とするコンピュータプログラムであることを特徴とする。
【００１２】
（６）本発明に係るコンピュータプログラムは、通信端末によってタグを付けられて送信されたパケットを転送するネットワーク装置のコンピュータに、受信パケットからタグを検出するタグ検出ステップと、前記検出されたタグに基づいて、前記受信パケットに対する帯域制御を行う帯域制御ステップと、を実行させるためのコンピュータプログラムであり、前記タグは、送信データの送信データ属性とタグ判定条件に基づいて、当該送信データを格納するパケットに付けられ、前記タグ判定条件は、通信端末を使用した通信の通信品質に対する利用者の意識のされやすさに基づいて分類された送信データ属性毎にタグを指定し、前記タグは、前記意識のされやすさに応じた優先度を示す、ことを特徴とする。
【発明の効果】
【００１３】
本発明によれば、利用者の体感品質の異なる各トラヒックに対して、それぞれ異なる優先度を割り当てることができる。
【図面の簡単な説明】
【００１４】
【図１】本発明の一実施形態に係る通信システムの概略構成図である。
【図２】本発明の一実施形態に係る通信端末１０の概略構成図である。
【図３】本発明の一実施形態に係るネットワーク装置３０の概略構成図である。
【図４】本発明の一実施形態に係る帯域制御方法の概念を説明するための図である。
【発明を実施するための形態】
【００１５】
以下、図面を参照し、本発明の実施形態について説明する。
図１は、本発明の一実施形態に係る通信システムの概略構成図である。図１において、通信端末１０は通信ネットワーク５０に接続してパケット通信を行う。通信ネットワーク５０は、パケットの伝送路上に設けられたネットワーク装置３０を有する。ネットワーク装置３０は、通信端末１０から送信されたパケットを転送する。ネットワーク装置３０として、例えばルータ装置、ゲートウェイ装置、スイッチ装置などが挙げられる。
【００１６】
図２は、本実施形態に係る通信端末１０の概略構成図である。図２において、通信端末１０は、タグ判定条件記憶部１１とタグ判定部１２とタグ付与部１３と通信部１４を有する。
【００１７】
タグ判定条件記憶部１１はタグ判定条件を示すデータを記憶する。タグ判定部１２は、送信データの送信データ属性とタグ判定条件に基づいて、当該送信データを格納する送信パケットに付けるタグを判定する。タグ判定部１２に入力される送信データ属性情報は、送信データの送信データ属性を示す。タグ付与部１３は、タグ判定部１２による判定の結果に基づいて、送信パケットにタグを付ける。通信部１４は、タグ付与部１３によりタグが付けられた送信パケットを送信する。
【００１８】
タグ判定条件は、通信端末１０を使用した通信の通信品質に対する利用者の意識のされやすさに基づいて分類された送信データ属性毎にタグを指定する。タグは、該意識のされやすさに応じた優先度を示す。
【００１９】
図３は、本実施形態に係るネットワーク装置３０の概略構成図である。図３において、ネットワーク装置３０は、受信部３１とバッファ３２と送信部３３とタグ検出部３４と帯域制御部３５を有する。
【００２０】
受信部３１は、通信端末１０から送信されたパケットを受信する。バッファ３２は、受信部３１により受信された受信パケットを一時的に格納する。送信部３３は、バッファ３２から出力されたパケットを送信する。タグ検出部３４は、受信部３１により受信された受信パケットに付けられたタグを検出する。帯域制御部３５は、タグ検出部３４により検出されたタグに基づいて、受信パケットに対する帯域制御を行う。
【００２１】
図４は、本実施形態に係る帯域制御方法の概念を説明するための図である。通信端末１０から送信されるパケット群から成るトラヒックは、様々な利用用途に分類される。同じＨＴＴＰのトラヒックであっても利用用途が異なるトラヒックに分類される。そして、利用用途によって、利用者の体感品質が異なると考えられる。例えば、乗換案内や地図情報の検索では、利用者が通信品質を意識しやすく、体感品質への影響が大きいと考えられる。一方、アプリケーションの自動的な更新（自動アップデート）では、利用者は通信品質を意識せず、体感品質への影響が小さいと考えられる。
【００２２】
そこで、本実施形態では、通信端末１０が送信するトラヒックを利用用途ごとに分類する。そして、各利用用途に対して、通信品質に対する利用者の意識のされやすさによって段階をつける。図４の例では、通信品質に対する利用者の意識のされやすさは３段階あり、最も意識されやすい第１段階、中くらいに意識されやすい第２段階、最も意識されにくい第３段階、となっている。そして、通信品質に対する利用者の意識のされやすさの各段階に対して、それぞれに、割当帯域の優先度を示すタグを定義する。図４の例では、最も意識されやすい第１段階に対してタグ「ＴＢ１」、中くらいに意識されやすい第２段階に対してタグ「ＴＢ２」、最も意識されにくい第３段階に対してタグ「ＴＢ３」がそれぞれ定義されている。これにより、各利用用途に対して、割当帯域の優先度を示すタグが定義される。割当帯域の優先度として、通信品質に対する利用者の意識のされやすさが大きいほどに優先度を高くする。
【００２３】
その各利用用途に対するタグの定義はタグ判定条件としてタグ判定条件記憶部１１に記憶される。図４の例では、利用用途の種別は送信データ属性で示される。そして、送信データ属性ごと（つまり、利用用途の種別ごと）に、タグ「ＴＢ１」、「ＴＢ２」、「ＴＢ３」のいずれかが、タグ判定条件により示される。
【００２４】
これにより、タグ判定部１２は、タグ判定条件記憶部１１に記憶されるタグ判定条件に基づいて、入力された送信データ属性情報に該当するタグを認識することができる。そして、タグ付与部１３は、タグ判定部１２の判定結果に基づいて、送信パケットにタグを付ける。一方、ネットワーク装置３０では、帯域制御部３５は、受信パケットから検出されたタグに基づいて、当該受信パケットに対する割当帯域の優先度を認識し、該優先度に基づいた帯域制御を行う。
【００２５】
次に本実施形態に係る実施例を説明する。
【実施例１】
【００２６】
実施例１は、通信端末１０が送信するトラヒックを利用用途ごとに分類する実施例である。実施例１では、「フォアグラウンド通信」、「バックグラウンド通信」、「Ｍ２Ｍ（マシン・トウ・マシン）通信」の３つに分類する。
【００２７】
（１）フォアグラウンド通信
フォアグラウンド通信は、利用者の明示的な行動を伴う通信と言える。フォアグラウンド通信の具体例として、乗換案内等の検索、メッセージアプリケーションの着信通知などが挙げられる。
【００２８】
（２）バックグラウンド通信
バックグラウンド通信は、利用者の明示的な行動を伴わない通信と言える。バックグラウンド通信の具体例として、天気やニュースなどのアプリケーションのプッシュ配信、アプリケーションの自動アップデートなどが挙げられる。
【００２９】
（３）Ｍ２Ｍ通信
Ｍ２Ｍ通信は、マシンのみで完結し、利用者には意識されない通信と言える。Ｍ２Ｍ通信の具体例として、センシング情報の自動的な収集などが挙げられる。
【実施例２】
【００３０】
実施例２は、通信端末１０が送信するトラヒックに対してタグを付ける実施例である。
【００３１】
（１）一種類の利用用途しかない通信端末１０に対しては、通信端末１０の通信モジュールで一括して同じタグを付ける。この具体例として、Ｍ２Ｍ通信用の通信端末１０が挙げられる。
【００３２】
（２）通信端末１０のＯＳ（Operating System：オペレーティングシステム）上で利用者の通信品質に対する意識しやすさを判定し、タグの付与を行う。この実施例では、利用者の通信品質に対する意識しやすさの段階が送信データ属性で示される。以下に具体例（２−１）〜（２−５）を挙げる。
【００３３】
（２−１）アプリケーションのアクティビティ（Activity）によって優先度を判別する。例えば、アプリケーションの表示が端末の表示画面上で前面に在る場合に、利用者の通信品質に対する意識しやすさが大きいと判定する。
【００３４】
（２−２）通信端末１０の端末ステータス情報によって利用者の通信品質に対する意識しやすさを判定する。この具体例として（２−２−１）〜（２−２−５）が挙げられる。
【００３５】
（２−２−１）表示画面の点灯の有無。点灯有りの場合に利用者の通信品質に対する意識しやすさが大きいと判定し、点灯無しの場合に利用者の通信品質に対する意識しやすさが小さいと判定する。
【００３６】
（２−２−２）操作ボタンやタッチパネルへのタッチ履歴、無操作時間。タッチ頻度が一定以上に多い場合に利用者の通信品質に対する意識しやすさが大きいと判定し、タッチ頻度が一定未満に少ない場合や無操作時間が一定以上に長い場合に利用者の通信品質に対する意識しやすさが小さいと判定する。
【００３７】
（２−２−３）加速度センサ、ＧＰＳ、照度センサ、カメラ、音センサなどのセンサによる状況の推定。それらのセンサの検出データに基づいて、例えば通信端末１０が利用者のカバンやポケットの中に在ると判断された場合に、利用者の通信品質に対する意識しやすさが小さいと判定する。
【００３８】
（２−２−４）上記（２−２−１）〜（２−２−３）の情報に基づいた利用者の行動の推定。例えば、利用者が、「急いでいる」、「暇である」、「熱心にコンテンツを見ている」、「画面すら見ていない」などの行動を推定し、その推定結果に対して利用者の通信品質に対する意識しやすさを判定する。該推定結果と利用者の通信品質に対する意識しやすさとの対応付けは予め定義しておく。
【００３９】
（２−２−５）上記（２−２−１）〜（２−２−３）の情報および時刻に基づいて利用者の生活パターンを推定し、その推定結果に基づいた利用者の行動の推定。例えば、利用者が、現在時刻には、「就寝中である」、「お昼休みである」などの行動を推定し、その推定結果に対して利用者の通信品質に対する意識しやすさを判定する。該推定結果と利用者の通信品質に対する意識しやすさとの対応付けは予め定義しておく。
【００４０】
（２−３）通信端末１０の通信品質と通信状況の関係。例えば、通信品質が極端に悪い状態であっても通信し続けている場合には、バックグラウンド通信であると推定できるので、利用者の通信品質に対する意識しやすさが小さいと判定する。通信品質が極端に悪い状態として、通信速度、ＲＴＴ（Round Trip Time）、電波強度、基地局とのコネクション切断率、ＴＣＰハンドシェイク失敗率などの指標の悪化が挙げられる。
【００４１】
（２−４）アプリケーションごとの通信相手の数。例えば、通信相手の数が一定未満である場合、アプリケーションの自動更新などのバックグラウンド通信である可能性があるので、利用者の通信品質に対する意識しやすさが小さいと判定する。通信相手の識別情報として、ＩＰアドレス、ポート番号、ドメイン名、ＵＲＬ（Uniform Resource Locator）などが挙げられる。
【００４２】
（２−５）通信相手やアプリケーション名。例えば、通信相手やアプリケーション名に基づいてバックグラウンド通信であるかを判断し、バックグラウンド通信である場合には、利用者の通信品質に対する意識しやすさが小さいと判定する。通信相手の識別情報として、ＩＰアドレス、ポート番号、ドメイン名、ＵＲＬなどが挙げられる。通信相手やアプリケーション名とバックグラウンド通信であるのかとの対応付けは予め定義しておく。
【００４３】
（３）通信端末１０のアプリケーション上で利用者の通信品質に対する意識しやすさを判定し、タグの付与を行う。この実施例では、利用者の通信品質に対する意識しやすさの段階が送信データ属性で示される。以下に具体例（３−１）〜（３−５）を挙げる。
【００４４】
（３−１）コンテンツの取得完了から、閲覧や利用者の次の行動までの時間。例えば、コンテンツを取得してから該コンテンツを閲覧するまでの時間が一定未満である場合には、利用者が該コンテンツの取得完了を待っていた（通信への注目度が高い）と考えられるので、利用者の通信品質に対する意識しやすさが大きいと判定する。
【００４５】
（３−２）利用されるコンテンツの有無。例えば、コンテンツの表示内容に、「読むもの」、「見るもの」、「聞くもの」がある場合に、利用者が当該コンテンツの取得完了を待っている（通信への注目度が高い）と考えられるので、利用者の通信品質に対する意識しやすさが大きいと判定する。
【００４６】
（３−３）コンテンツの再取得。一度取得に失敗したコンテンツを再度取得しようとしている場合には、利用者が当該コンテンツの取得完了を待っている（通信への注目度が高い）と考えられるので、利用者の通信品質に対する意識しやすさが大きいと判定する。
【００４７】
（３−４）動画コンテンツの形式。ストリーミング形式の場合に利用者の通信品質に対する意識しやすさが大きいと判定し、ダウンロード形式の場合に利用者の通信品質に対する意識しやすさが小さいと判定する。
【００４８】
（３−５）通信端末１０の表示画面上のタブの位置。例えば、ブラウザのプリフェッチ等によりタブがバックグラウンド（背面）に在る場合には、利用者の関心が低いと考えられるので、利用者の通信品質に対する意識しやすさが小さいと判定する。一方、タブがフォアグラウンド（前面）に在る場合には、利用者の関心が高いと考えられるので、利用者の通信品質に対する意識しやすさが大きいと判定する。
【実施例３】
【００４９】
実施例３は、ネットワーク装置３０における帯域制御の実施例である。実施例３では、利用用途ごとの通信品質と体感品質の関係を利用し、帯域制御の最適化を行う。利用用途ごとの通信品質と体感品質の関係については、アンケート等による体感品質の調査結果を利用する。
【００５０】
実施例３の具体例を説明する。通信端末１０の表示画面上において前面に表示されているタブ（フォアグラウンドタブ）のトラヒックと、背面に表示されているタブ（バックグラウンドタブ）のトラヒックとに対して、それぞれに、フォアグラウンドタブのトラヒックに対して優先度が高いタグ、バックグラウンドタブのトラヒックに対して優先度が低いタグが通信端末１０で付けられるとする。また、利用者の通信品質に対する意識しやすさをα、トラヒックの占有率をＰ、割当可能な最大の帯域幅をＢとする。但し、αの値が大きいほどに、利用者の通信品質に対する意識しやすさが大きいとする。この場合、フォアグラウンドタブのトラヒックに対する割当帯域Ｂｆとバックグラウンドタブのトラヒックに対する割当帯域Ｂｂは、式（１）となる。
【００５１】
【数１】
2015089085.tif 000003
【００５２】
但し、αｆはフォアグラウンドタブのトラヒックについての、利用者の通信品質に対する意識しやすさである。αｂはバックグラウンドタブのトラヒックについての、利用者の通信品質に対する意識しやすさである。Ｐｆはフォアグラウンドタブのトラヒックについての占有率である。Ｐｂはバックグラウンドタブのトラヒックについての占有率である。
【００５３】
説明の便宜上、フォアグラウンドタブのトラヒックについて「α＝２、Ｐ＝２／３」、バックグラウンドタブのトラヒックに対して「α＝１、１／３」であるとすると、次式により、フォアグラウンドタブのトラヒックに対する割当帯域Ｂｆとバックグラウンドタブのトラヒックに対する割当帯域Ｂｂとが算出される。
【００５４】
Ｂｆ＝（４／５）×Ｂ
Ｂｂ＝（１／５）×Ｂ
【００５５】
各トラヒックについての占有率は、受信パケットから検出されたタグに基づいてネットワーク装置３０で測定する。
【実施例４】
【００５６】
実施例４は、ネットワーク装置３０における帯域制御の実施例である。実施例４では、利用用途ごとの通信品質と体感品質の関係を待つ行為への反応モデルによりモデル化し、帯域制御の最適化を行う。利用用途ごとの通信品質と体感品質の関係については、アンケート等による体感品質の調査結果を利用する。
【００５７】
実施例４の具体例を説明する。式（２）、式（３）、式（４）により、帯域制御の最適化問題を構成する。ここでは、利用者の通信品質に対する意識しやすさの段階としてＩ個の段階に、トラヒックを分類する。式（２）はモデル化の式である。式（３）は目的関数である。式（４）は制約条件である。
【００５８】
【数２】
2015089085.tif 000004
【００５９】
【数３】
2015089085.tif 000005
【００６０】
【数４】
2015089085.tif 000006
【００６１】
但し、αｉは、ｉ番目の段階についての、利用者の通信品質に対する意識しやすさである。Ｐｉは、ｉ番目の段階についての、トラヒックの占有率である。ＱｏＥは、待つ行為への反応モデルによる体感品質である。Ｂｉは、ｉ番目の段階についての、トラヒックに対する割当帯域である。Ｂは、割当可能な最大の帯域幅である。
【００６２】
上記の式（２）、式（３）、式（４）から成る最適化問題を解くことにより、Ｉ個の各段階のトラヒックに対する割当帯域が算出される。Ｉ個の各段階のトラヒックの占有率は、受信パケットから検出されたタグに基づいてネットワーク装置３０で測定する。
【００６３】
なお、待つ行為への反応モデルについては、例えば非特許文献１に開示されている。具体的には式（５）に示されるように、感覚の強さは刺激（待ち時間）の強さの対数に比例する。
【００６４】
【数５】
2015089085.tif 000007
【００６５】
但し、Ｓ０は、評価指標の中央値である。αｉは、反応特性の傾きである。ｔは、待ち時間である。γｉは、待ち時間に対する予測値である。
【００６６】
上記した式（５）による待つ行為への反応モデルを本実施例に適用する場合、以下の仮定（１）、（２）を使用する。
（１）コンテンツサイズが一定であると仮定する。これにより式（６）となる。
【００６７】
【数６】
2015089085.tif 000008
【００６８】
（２）待つ行為による刺激Ｓの合計値を最小化することは、体感品質を最大化することに等しいと仮定する。これにより、割当帯域Ｂを変えても、刺激Ｓへの影響のないＳ０及びγｉの項は消える。これにより、上記した式（３）により、待つ行為への反応モデルによる体感品質は、トラヒックの占有率を考慮した合計値として算出できる。
【００６９】
以上、本発明の実施形態について図面を参照して詳述してきたが、具体的な構成はこの実施形態に限られるものではなく、本発明の要旨を逸脱しない範囲の設計変更等も含まれる。
【００７０】
また、上述した通信端末１０、ネットワーク装置３０を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
【００７１】
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００７２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７３】
１０…通信端末、３０…ネットワーク装置、５０…通信ネットワーク、１１…タグ判定条件記憶部、１２…タグ判定部、１３…タグ付与部、１４…通信部、３１…受信部、３２…バッファ、３３…送信部、３４…タグ検出部、３５…帯域制御部
【図１】
2015089085.tif 000009
【図２】
2015089085.tif 000010
【図３】
2015089085.tif 000011
【図４】
2015089085.tif 000012